(57)【要約】【課題】低消費電力でコンパクトな照明装置により棚本体上の物品を見栄えよく照らすことができる棚を課題とする。【解決手段】棚１の棚本体１０は、光を透過する導光板として機能する。照明装置２０は、棚本体１０の後端部１１に着脱可能に取り付けられるフレーム２２と、フレーム２２に取り付けられて棚本体１０の後端面１１ａに対向するＬＥＤアレイ２４と、を備える。ＬＥＤアレイ２４が発光することにより、この光が棚本体１０の内部に導かれ、棚本体１０の表面１２にある光拡散部１４から上方に拡散される。これにより、棚本体１０上の物品を照らす。光拡散部１４はシルク印刷により形成することができる。【選択図】図１
2010198792.tif 000002
【特許請求の範囲】
【請求項１】
表面に光拡散部を有し、光を透過する導光板として機能する棚本体と、
前記棚本体の端部に着脱可能に取り付けられるフレーム、及び、当該フレームに取り付けられて前記棚本体の端面に対向する光源を有する照明装置と、
を備えた棚において、
前記光源は、前記棚本体の端面に沿って延在するＬＥＤアレイからなり、
前記ＬＥＤアレイが発光することにより、この光が前記棚本体の内部に導かれ、前記光拡散部から当該棚本体の板厚方向に拡散されるようにした、棚。
【請求項２】
前記光拡散部は、前記棚本体の表面をシルク印刷することにより形成されたものである、請求項１に記載の棚。
【請求項３】
前記フレームは、
前記棚本体の端部を上下から着脱可能に挟み込む上片及び下片と、
前記上片と前記下片とを連結すると共に、内面に前記ＬＥＤアレイが前記棚本体の端面に対向するように取り付けられた鉛直片と、を有しており、
前記上片の先端は、前記下片の先端よりも、前記鉛直片から遠い位置にある、請求項２に記載の棚。
【請求項４】
前記下辺は、前記上片よりも、薄肉である、請求項３に記載の棚。
【発明の詳細な説明】
【技術分野】
【０００１】
本発明は、棚本体上の例えば化粧品等の物品を照らすことができる棚に関する。
【背景技術】
【０００２】
従来、この種の棚は、お店などで、商品を見栄えよく陳列するのに活用されている。例えば特許文献１には、棚本体の下部先端に蛍光灯ユニットを固定し、この棚本体よりも下方の棚本体上の商品を照らすようにしたものが開示されている。この蛍光灯ユニットは、フレーム内に蛍光灯を取り付けたものであり、照射角度を可変可能に構成されている。
【先行技術文献】
【特許文献】
【０００３】
【特許文献１】特開２００３−１６８３０号公報（図７）
【発明の概要】
【発明が解決しようとする課題】
【０００４】
このような従来の棚では、蛍光灯の消費電力及び発熱量が大きい。このため、例えば商品を劣化させ得るといった懸念があった。また、蛍光灯を用いる関係上、蛍光灯用のフレームが大型化し、そのための占有スペースが大きくなっていた。加えて、棚本体は蛍光灯ユニットとともにブラケットによって下側から支持されるが、大きなフレームのために、蛍光灯ユニットの位置で大きな段差が生じ、棚本体がガタツキ易かった。さらに、蛍光灯ユニットの照射角度は下方向又は斜め下方向に限定されるため、最上位の棚本体にある商品を照らすことができず、汎用性が低かった。
【０００５】
本発明は、低消費電力でコンパクトな照明装置により棚本体上の物品を見栄えよく照らすことができる棚を提供することをその目的としている。
【課題を解決するための手段】
【０００６】
上記目的を達成するため、本発明の照明装置付きの棚は、表面に光拡散部を有して光を透過する導光板として機能する棚本体を備える。照明装置は、棚本体の端部に着脱可能に取り付けられるフレームと、棚本体の端面に対向する光源と、を有する。光源は、フレームに取り付けられ、棚本体の端面に沿って延在するＬＥＤアレイからなる。ＬＥＤアレイが発光することにより、この光が棚本体の内部に導かれ、光拡散部から棚本体の板厚方向に拡散されるようにしている。
【０００７】
本発明によれば、この拡散された光が棚本体の表面から放射されるようになる。これにより、棚本体に物品を載せた場合に、物品をその下側から見栄え良く照らすことができる。また、ＬＥＤアレイを棚本体の端面に対向させているので、照射方向が下方向に限定されずに済み、棚本体に取り付けた照明装置で、棚本体に載せた物品を確実に照射することができる。さらに、照明装置の光源として、ＬＥＤを用いているので、低消費電力とすることができると共に、光源を小型化することができる。これにより、フレームを小さくすることができ、照明装置を全体としてコンパクトにすることができる。
【０００８】
好ましくは、光拡散部は、棚本体の表面をシルク印刷することにより形成されるとよい。こうすることで、光拡散部を簡易且つ低コストで形成することができる。また、光拡散部をＶ字溝となる場合と比べて、光拡散部からの光を明るくすることができると共に、棚本体の材質も低コスト化を図ることができる。
【０００９】
より好ましくは、フレームは、棚本体の端部を上下から着脱可能に挟み込む上片及び下片と、上片と下片とを連結する鉛直片と、を有し、鉛直片の内面には、ＬＥＤアレイが棚本体の端面に対向するように取り付けられるとよい。また、上片の先端は、下片の先端と比べて鉛直片から遠い位置にあるとよい。このような簡易な構成によって、例えば消費者が棚本体上の物品を見下ろす場合に、フレーム内の奥にあるＬＥＤアレイを見えないようにすることが可能となる。
【００１０】
より好ましくは、下片は、上片よりも薄肉であるとよい。これにより、棚本体をフレームに着脱し易くなる。また、下片と棚本体との間の段差を小さくすることが可能となるので、例えばブラケット等で支持した場合の棚本体のガタツキを抑制することができる。なお、上片の先端部について、先端ほど薄肉となるように内面（つまり下面）を湾曲させることで、棚本体の着脱性をより向上することができる。
【図面の簡単な説明】
【００１１】
【図１】実施形態に係る棚を什器本体で支持した状態の斜視図である。
【図２】実施形態に係る棚の平面図である。
【図３】実施形態に係る棚の断面図である。
【図４】実施形態に係る棚の照明装置を拡大斜視図である。
【発明を実施するための形態】
【００１２】
以下、添付図面を参照して、本発明の好適な実施形態に係る照明装置付き棚を説明する。
【００１３】
図１に示すように、上下に複数の棚１が、左右一対のブラケット２，２を介して什器本体３に取り付けられる。什器本体３の前面には、左右一対のレール４，４が固定されており、各レール４には、複数のフック孔４ａが上下方向に等ピッチで形成されている。ブラケット２の後端部をフック孔４ａに掛け止めすることで、棚１の高さ位置や、棚１の上下の間隔を任意に調整することができる。
【００１４】
図１〜３に示すように、棚１は、棚本体１０と、棚本体１０の後端部１１に取り付けられた照明装置２０と、で構成されている。
【００１５】
棚本体１０は、図２及び３に示すように、平面視方形の板材からなり、アクリルやガラスなどの透明な材料によって形成されている。このため、棚本体１０は、光を透過する導光板として機能する。棚本体１０の肉厚は、一定であり、例えば８ｍｍである。
【００１６】
棚本体１０の上面である表面１２には、光を上方に拡散又は散乱させる光拡散部１４が形成されている。光拡散部１４は、表面１２の周縁を除く領域に、網目状のラインとして広く形成されている。この網目は、前後及び左右の方向に均等な間隔でラインを張り巡らしてなり、そのピッチは適宜設計可能である。
【００１７】
光拡散部１４は、例えばＶ字溝などとして、表面加工により形成することもできるが、ここでは印刷により形成されている。印刷形態としては、光拡散部１４を簡易且つ低コストで形成することができるシルク印刷（スクリーン印刷）が用いるのが好適である。また、シルク印刷を用いることで、表面加工の場合に比べて、光拡散部１４からの光も明るくなり、棚本体１０自体を低廉化することができる。シルク印刷に用いるインクは、メジウム（無色透明のインキ）に白の塗料を混ぜたものを用いるのが好適であり、その無色透明のインキと白のインキとの割合は８：２ないしは９：１が好ましい。また、シルク印刷に用いるインキは、蛍光色のインキを含まないことが好ましい。これは、耐光性に弱く、印刷後に色トビの現象が起き易いからである。
【００１８】
照明装置２０は、図２〜４に示すように、断面略コ字状のフレーム２２と、フレーム２２内に配置されたＬＥＤアレイ２４と、を備える。
【００１９】
フレーム２２の長さは、棚本体１０の長手方向の長さよりも短い。フレーム２２は、プラスチックなどにより形成することもできるが、高い放熱性の観点からはアルミニウムにより形成することが好ましい。
【００２０】
フレーム２２は、上片３０、下片３２及びこれらの後端部を連結する鉛直片３４からなり、上片３０、下片３２及び鉛直片３４によって、フレーム２２の内側に差込み口３６が画成されている。差込み口３６は、棚本体１０の後端部１１を着脱可能に受け入れるべく、前方に向かって開口する。
【００２１】
上片３０及び下片３２は、棚本体１０の後端部１１を上下から挟み込むように保持する。上片３０及び下片３２は、互いに平行に延在するが、その形状及び長さが互いに異なる。
【００２２】
具体的には、上片３０は、鉛直片３４の上端から前方に延びる基部４０と、基部４０からさらに前方に延びる先端部４２と、からなる。先端部４２は、基部４０よりも肉厚であり、例えばその最大の肉厚は３ｍｍとなっている。先端部４２の内面は、平坦面４４と、平坦面４４から前方に延びる湾曲面４６と、平坦面４４から後方に延びて基部４０に連なる傾斜面４８と、からなる。湾曲面４６は、先端ほど薄肉となるように、前方に向かうにつれて上方へと湾曲している。
【００２３】
一方、下片３２は、鉛直片３４側の内面に突出したストッパ５０を有しており、このストッパ５０以外の部分では肉厚は一定となっている。下片３２の基本的な肉厚は、上片３０の基部４０の肉厚と同程度であるが、上片３０の先端部４２の肉厚よりも小さい。また、上片３０の先端３０ａは、下片３２の先端３２ａよりも前方に位置している。これにより、前方から棚１を見下ろす人がＬＥＤアレイ２４を直接見えないようにすることが可能となる（図３参照）。ストッパ５０は、棚本体１０の後端面１１ａに当接することで、後端面１１ａとＬＥＤアレイ２４との間に隙間を残すように棚本体１０の装着位置を規制する。
【００２４】
ＬＥＤアレイ２４は、図３及び図４に示すように、複数のＬＥＤを均等間隔で後端面１１ａと平行に並べてなるものである。ＬＥＤの個数は例えば３６個であり、その配列ピッチは例えば２２．５ｍｍである。ＬＥＤアレイ２４は、鉛直片３４の内面に基板６０を介して取り付けられ、棚本体１０の後端面１１ａに対向する。ＬＥＤアレイ２４の高さレベルは、後端面１１ａの高さ方向の真ん中である。
【００２５】
基板６０の後面は、接着剤や両面テープ等により鉛直片３４の内面に固定されている。基板６０は、ＬＥＤアレイ２４の個々のＬＥＤに給電するための回路を有し、この回路に接続されたリード線６２の先端にコネクタ６４を取り付けている。コネクタ６４には、図示省略したコネクタを介してスイッチが接続され、このスイッチによりＬＥＤアレイ２４への給電がＯＮ・ＯＦＦされる。なお、リード線６２及びコネクタ６４を基板６０の左右に取り付けることで、左右のどちらからでも給電できるようにしたが、片方のみであってもよい。
【００２６】
基板６０及びＬＥＤアレイ２４は、フレーム２２の両端部よりも内側に配されており、このフレーム２２の両端部では、エンドキャップ６６が鉛直片３４の内面に固定されている。エンドキャップ６６は、内部に上記のリード線６２を挿通しており、基板６０が左右方向に抜け落ちるのを防止する。また、エンドキャップ６６の前面６６ａは、ＬＥＤアレイ２４よりも前方に位置する（図３参照）。これにより、照明装置２０を棚本体１０に取り付けた状態では、エンドキャップ６６は、フレーム２２の両端部からＬＥＤアレイ２４を見せないように隠蔽する。
【００２７】
ブラケット２は、薄板状の部材からなり、棚本体１０及びフレーム２２を下側から支持する。ブラケット２は、前後方向に延在する支持部７０と、支持部７０の後部に連続する係合部７２と、から構成される。係合部７２は、什器本体３の上記したフック孔４ａに掛け止めされる。支持部７０は、平坦な上面の一部に滑止め材７４が敷設されている。滑止め材７４は、クッション性を有する材質からなり、棚本体１０とフレーム２２との段差を埋めるために設けられる。すわなち、滑止め材７４は、棚本体１０に対応する位置にのみ設けられており、支持部７０は、滑止め材７４を介して棚本体１０を支持することで、棚本体１０とフレーム２２とを水平に安定して支持する。
【００２８】
本実施形態の棚１の作用を説明する。
ＬＥＤアレイ２４に給電し、ＬＥＤアレイ２４の各ＬＥＤを発光させると、その光が棚本体１０の内部へと後端面１１ａから導入される。導入された光は棚本体１０内を前方に向かって並行に直進する一方、一部の光は光拡散部１４の拡散作用によって棚本体１０の板厚方向（ここでは上方向）に光を拡散させる。この状態を棚１の外部から見ると、棚本体１０の表面１２が網目状に明るく見える一方、棚本体１０の前端面１０ｂ（図１参照）にはＬＥＤアレイ２４の各ＬＥＤの光がドット状に連続しているように見える。
【００２９】
したがって、棚本体１０の表面１２に物品を陳列した場合には、陳列した物品が個々に下側から照らされる。これにより、物品の価値を向上するかのように見栄え良く照らすことができる。また、ＬＥＤアレイ２４を棚本体１０の後端面１１に対向させているので、一つの棚１で棚本体１０上の物品を確実に照射することができる。さらに、光源としてＬＥＤを用いているので、蛍光灯等に比べて消費電力及び発熱量を抑えることができる上、フレーム２２を小型化することができる。特に、フレーム２２の下片３２を薄肉にすることが可能となり、ブラケット２上での棚１のガタツキを好適に防止することができる。
【００３０】
また、フレーム２２の差込み口３６では、下片３２が上片３０よりも薄いため、棚本体１０を差込み口３６に着脱し易くなっている。さらに、上片３０の差込み口３６に湾曲面４６を形成しているので、棚本体１０をより着脱し易いものとなっている。しかも、挿入時には、ストッパ５０により棚本体１０の装着位置を規制できるので、棚本体１０の装着作業もし易い。
【００３１】
なお、本実施形態の他の態様によれば、棚本体１０の短辺側の端部、つまり側端部に照明装置２０を取り付けることも可能である。また、棚本体１０を一枚の板材から構成したが、例えば積層材から構成することも可能である。例えば、導光板の下面に反射板を積層した棚本体を用いることも可能である。
【符号の説明】
【００３２】
１：棚、２：ブラケット、３：什器本体、１０：棚本体、１１：後端部、１１ａ：後端面、１２：表面、１４：光拡散部、２０：照明装置、２２：フレーム、２４：ＬＥＤアレイ、３０：上片、３２：下片、３４：鉛直片、３６：差込み口、５０：ストッパ、６０：基板、６６：エンドキャップ、７４：滑止め材
【図１】
2010198792.tif 000003
【図２】
2010198792.tif 000004
【図３】
2010198792.tif 000005
【図４】
2010198792.tif 000006